(57)【要約】【課題】穴あきを発生させることなくスキ刈りを行うことができ、且つ不自然な仕上がりとならないヘアカッターを提供する。【解決手段】頭頂部へと動作させてスキ刈りを行うヘアカッターであって、互いに摺接する櫛状の固定刃３及び可動刃４を組み合わせた刃ブロック５とモータ等による駆動手段とを備えたカッター本体１と、このカッター本体１に着脱自在に装着され、前記固定刃３及び可動刃４の刃幅に対し一定間隔Ｈにスキ刈りを可能とする基台７及び櫛部材８とからなるスキ刈り用アタッチメント６と、頭皮１２から刃ブロック５によるカットポイントまでの距離Ｈを一定に保つ櫛部１３を備える。【選択図】図５
2008048779.tif 000002
【特許請求の範囲】
【請求項１】
頭頂部へと動作させてスキ刈りを行うヘアカッターであって、
互いに摺接する櫛状の固定刃及び可動刃を組み合わせた刃ブロックとモータ等による駆動手段とを備えた本体と、
前記本体に着脱自在に装着され、前記固定刃及び可動刃の刃幅に対し一定間隔にスキ刈りを可能とする保護部材と、
地肌から前記刃ブロックによるカットポイントまでの距離を一定に保つ櫛部と、
を備えたことを特徴とするヘアカッター。
【請求項２】
請求項１に記載のヘアカッターであって、
前記カットポイントの前方に突出して設けられ、毛髪を押し付けながら前記刃ブロックでカットさせる毛髪保持部材を、該刃ブロックの上方側に設けた
ことを特徴とするヘアカッター。
【請求項３】
請求項１または請求項２に記載のヘアカッターであって、
前記保護部材を、基台と、この基台に取り付けられる櫛部を有した櫛部材と、この櫛部材に対してスライド自在なスキ刈り部材とで構成し、前記スキ刈り部材を弾性部材で押圧して前記刃ブロックに対して常に密接させた
ことを特徴とするヘアカッター。
【請求項４】
請求項１から請求項３の何れか一つに記載のヘアカッターであって、
前記櫛部材の一部に、前記地肌に接触させる略平面を設けた
ことを特徴とするヘアカッター。
【請求項５】
請求項１から請求項４の何れか一つに記載のヘアカッターであって、
前記保護部材によるカット可能位置の間隔を、前記刃ブロックに対して不均一とした
ことを特徴とするヘアカッター。
【請求項６】
請求項２に記載のヘアカッターであって、
前記毛髪保持部材を、カットポイントに対して動作方向に移動可能とした
ことを特徴とするヘアカッター。
【請求項７】
請求項２に記載のヘアカッターであって、
前記毛髪保持部材の毛髪との接触面を非直線形状とした
ことを特徴とするヘアカッター。
【発明の詳細な説明】
【技術分野】
【０００１】
本発明は、互いに摺接する櫛状の固定刃及び可動刃によって毛髪及び体毛のカットを行うヘアカッターに関する。
【背景技術】
【０００２】
ヘアカッターは、モータ等の回転運動を往復運動に変換し、その往復運動を可動刃に伝達させ、該可動刃を固定刃に対して往復運動させることにより、可動刃と摺接する櫛状の固定刃に導入された毛髪を切断するように構成されている。かかるヘアカッターにおいては、スキ刈りが可能なように構成されたものが提案されている（例えば、特許文献１など参照）。
【０００３】
図１９及び図２０には、スキ刈りを可能としたヘアカッターの一例を示す。スキ刈りを可能とするには、固定刃１００と可動刃１０１とからなる刃ブロック１０２を有したカッター本体１０３に、スキ刈りを可能とするためのスキ刈り用アタッチメント１０４を刃ブロック１０２を覆うように取り付ける。
【０００４】
スキ刈り用アタッチメント１０４は、カッター本体１０３に形成された保持穴１０５にフック１０６を嵌合させることで前記カッター本体１０３に固定される。このスキ刈り用アタッチメント１０４は、キャップ形状とされており、一定間隔で毛髪１０７の切断を抑制するカット保護部１０８と、毛髪１０７の切断を可能とする溝部１０９と、を先端部に有している。前記溝部１０９に入り込んだ毛髪１０７は、固定刃１００と可動刃１０１によってカットされるが、カット保護部１０８に接触した毛髪１０７はカットされることなく保護される。したがって、このスキ刈りアタッチメント１０４を使用すれば、刃に接触した毛髪全てをカットすることなく、毛髪表面の擬似的なスキ刈りを可能とすることができる。
【特許文献１】特開昭５５−４７８８５号公報
【発明の開示】
【発明が解決しようとする課題】
【０００５】
しかし、図１９（Ｂ）に示すように、カット保護部１０８の厚みＴが極端に薄い為、スキ刈り用アタッチメント１０４を頭髪に対して押し付けすぎると、毛髪１０７の長さが極端に短くなり、最終的には前記カット保護部１０８の厚みＴと同じ長さにまで短くなってしまう。こうなると、スキ刈りアタッチメント１０４を使用していない部分と使用した部分との毛髪１０７の長さが大幅に異なってしまい、一部のみ毛髪１０７が短くなるいわゆる「穴あき」（ハゲ）状態が発生する。
【０００６】
また、このヘアカッターでは、頭頂部から生え際に向けて（上から下に撫で付けて）使用する構造上、カッター本体１０３と毛髪１０７が接触した部分にライン（カッター本体１０３が接触した箇所からカットを開始する為）が出てしまい、不自然な仕上りとなり易い。
【０００７】
そこで、本発明は、このような従来の課題を解決するものであり、穴あきを発生させることなくスキ刈りを行うことができ、且つ不自然な仕上がりとならないヘアカッターを提供することを目的とする。
【課題を解決するための手段】
【０００８】
請求項１に記載の発明は、上記目的を達成するために、頭頂部へと動作させてスキ刈りを行うヘアカッターであって、互いに摺接する櫛状の固定刃及び可動刃を組み合わせた刃ブロックとモータ等による駆動手段とを備えた本体と、前記本体に着脱自在に装着され、前記固定刃及び可動刃の刃幅に対し一定間隔にスキ刈りを可能とする保護部材と、前記地肌から前記刃ブロックによるカットポイントまでの距離を一定に保つ櫛部と、を備えたことを特徴とする。
【０００９】
請求項２に記載の発明は、請求項１に記載のヘアカッターであって、前記カットポイントの前方に突出して設けられ、毛髪を押し付けながら前記刃ブロックでカットさせる毛髪保持部材を、該刃ブロックの上方側に設けたことを特徴とする。
【００１０】
請求項３に記載の発明は、請求項１または請求項２に記載のヘアカッターであって、前記保護部材と前記櫛部材を別部材で構成し、前記保護部材を弾性部材で押圧して前記刃ブロックに対して常に密接させたことを特徴とする。
【００１１】
請求項４に記載の発明は、請求項１から請求項３の何れか一つに記載のヘアカッターであって、前記櫛部材の一部に、前記地肌に接触させる略平面を設けたことを特徴とする。
【００１２】
請求項５に記載の発明は、請求項１から請求項４の何れか一つに記載のヘアカッターであって、前記保護部材によるカット可能位置の間隔を、前記刃ブロックに対して不均一としたことを特徴とする。
【００１３】
請求項６に記載の発明は、請求項２に記載のヘアカッターであって、前記毛髪保持部材を、カットポイントに対して動作方向に移動可能としたことを特徴とする。
【００１４】
請求項７に記載の発明は、請求項２に記載のヘアカッターであって、前記毛髪保持部材の毛髪との接触面を非直線形状としたことを特徴とする。
【発明の効果】
【００１５】
請求項１に記載の発明によれば、地肌から刃ブロックによるカットポイントまでの距離を一定に保つ櫛部を備えているので、この櫛部によって地肌とカットポイントまでの距離が一定に保たれることから穴あきが発生し難く、理容師本来のスキ刈り（毛髪の表面をカットするのではなく起毛させて内側の毛髪をカットする）方法を取り入れ、動作方向を頭頂部方向に（下から上にかきあげる）変更しても、毛髪表面にラインが出にくく、よりプロの理容師に近い仕上がり（全体の髪型を大きく変えることなく、毛量を間引く「スキ刈り」）を失敗することなく達成することができる。
【００１６】
請求項２に記載の発明によれば、毛髪を押し付けながら刃ブロックでカットさせる毛髪保持部材を備えるので、毛髪を押し倒しながらカットする構成となり、カットポイントに届く毛髪の最短距離を延長することが可能となり、毛髪を根元付近からカットすることを防止し、毛髪が極端に一部のみ短くなる不自然な仕上りを防止することが可能となる。
【００１７】
請求項３に記載の発明によれば、保護部材を弾性部材で押圧して刃ブロックに対して常に密着させた状態とするので、保護部材と刃ブロック間に隙間が生じて毛屑が溜まり、最終的にはカット不能に陥る可能性が無くなる。
【００１８】
請求項４に記載の発明によれば、櫛部材の一部に地肌に接触させる略平面を設けたので、この平面が視覚的に操作方向を認識させ誤使用の防止を促す。
【００１９】
請求項５に記載の発明によれば、保護部材のカット可能位置の間隔を刃ブロックに対して不均一としたので、カット可能ポイントが刃幅に対し不均一になり、より自然な仕上りを達成できる。
【００２０】
請求項６に記載の発明によれば、毛髪保持部材をカットポイントに対して動作方向に移動可能としたので、毛髪保持部材による毛髪の倒し量を調節することが可能となり、カット量調節を任意にできる。
【００２１】
請求項７に記載の発明によれば、毛髪保持部材の毛髪との接触面を非直線形状としたので、カットポイントに届く毛髪の最短距離を部分的に変更することが可能となり、カットが不均一になり、自然な仕上りに調節できる。
【発明を実施するための最良の形態】
【００２２】
以下、本発明を適用した具体的な実施の形態について図面を参照しながら詳細に説明する。
【００２３】
「実施の形態１」
図１は実施の形態１のヘアカッターを示し、（Ａ）は一方向から見たカッター本体の斜視図、（Ｂ）は他方向から見たカッター本体の斜視図、図２は実施の形態１のヘアカッターにおけるスキ刈り用アタッチメントを示し、（Ａ）はそのスキ刈り用アタッチメントの斜視図、（Ｂ）はスキ刈り用アタッチメントの平面図、図３は実施の形態１のヘアカッターにおけるスキ刈り用アタッチメントを示し、（Ａ）は櫛部材の平面図、（Ｂ）は基台の平面図、図４は実施の形態１のヘアカッターの先端部分を示す斜視図、図５は実施の形態１のヘアカッターの先端部を示し、（Ａ）は毛髪をカットしている状態を示す図、（Ｂ）は先端部分の要部拡大断面図である。
【００２４】
ヘアカッターは、図１から図４に示すように、カッター本体１と、このカッター本体１の動作を入り切りするスイッチハンドル２と、互いに摺接する櫛状の固定刃３及び可動刃４を組み合わせた刃ブロック５と、スキ刈りを可能とする保護部材であるスキ刈り用アタッチメント６と、を備えている。
【００２５】
カッター本体１には、固定刃３に対して可動刃４を左右方向に往復運動させるためのモータ等による駆動手段（図示は省略する）が設けられている。スイッチハンドル２をスライドさせてスイッチをオンすると、前記駆動手段が作動し、モータの回転運動を往復運動に変換して前記可動刃４を前記固定刃３に対して左右方向に揺動させる。このとき、固定刃３と可動刃４の各刃との間に毛髪或いは体毛が入り込むことで、これら毛髪または体毛（体毛には、人間または人間以外の動物の物も含む）がカット（切断）される。本実施の形態では、毛髪をカットする例として説明することとする。
【００２６】
刃ブロック５は、鋸状とされた固定刃３と、同じく鋸状とされた可動刃４と、から構成されている。固定刃３は、カッター本体１に固定されており、可動刃４は、固定刃３に対して左右方向に往復動するようにカッター本体１に取り付けられている。
【００２７】
スキ刈り用アタッチメント６は、基台７と、この基台７に固定される櫛部材８と、からなる。基台７は、櫛部材８を溶着または接着などの固定手段で固定させ、前記カッター本体１に装着される。櫛部材８には、固定刃３及び可動刃４の刃幅に対し一定間隔にスキ刈りを可能とするカット保護部９とカット溝部１０で構成されたスキ刈り部材１１が設けられている。また、櫛部材８には、頭皮（地肌）１２から前記刃ブロック５によるカットポイントまでの距離Ｈを一定に保つ櫛部１３が、前記カット保護部９と同一ピッチで複数形成されている。
【００２８】
櫛部１３は、櫛部材８の先端から前方に向かって延在するように形成されており、頭皮１２と接触する接触面１４を有している。この櫛部１３の接触面１４からカットポイントまでの距離Ｈは、毛髪１５の長さを極端に短くせずしかも穴あきの発生を生じさせることのない距離として十分確保されている。
【００２９】
そして、櫛部材８には、カッター本体１に設けられたアタッチメントロックボタン１６と嵌合して当該カッター本体１に対する前記スキ刈り用アタッチメント６の取り付け位置を固定するための保持位置決め穴１７が設けられている。この保持位置決め穴１７を複数形成すれば、スキ刈り用アタッチメント６のカッター本体１に対する装着位置を任意に可変することが可能となる。
【００３０】
また、このアタッチメントロックボタン１６は、スイッチハンドル２と連動しており、通常は弾性部材によりカッター本体１内方向に没しているが、スイッチハンドル２を入れることによりカッター本体表面より突出し、前記保持位置決め穴１７に嵌合する。その結果、使用中のスキ刈り用アタッチメント６の取り外しが不可能となり、使用時の不用意な位置移動が発生せず、スキ刈りの失敗を防ぐことができる。
【００３１】
なお、前記基台７の両端部からは、前方に延びるようにして延在部１８が設けられており、当該延在部１８の横断面形状（ヘアカッターを側方から見た断面形状）は、前記櫛部１３の先端部分の横断面形状とほぼ同一形状となっている。また、延在部１８は、櫛部１３より厚みをもって形成されており、落下時等に当該櫛部１３が破損することを防止している。さらに、この延在部１８は、櫛部１３の接触面１４と同様、前記頭皮１２と接触する面１９を有しており、頭皮１２からカットポイントまでの距離Ｈを一定に保つ機能、すなわち、櫛部としての機能も果たしている。延在部１８は、上述のように、落下時等に櫛部１３が破損することを防止するため、これを設けることが望ましいが、省略しても良いものである。
【００３２】
このように構成されたヘアカッターにおいては、図５に示すように、スキ刈り用アタッチメント６（実質的には櫛部１３の接触面１４及び延在部１８の接触面１９）を頭皮１２に接触させ、生え際から頭頂部方向に（下から上にかきあげる）移動させてスキ刈りを行う。すると、櫛部１３によって挟まれ、またスキ刈り部材１１によって毛髪１５が起毛して（毛が立ち上がって）、カット溝部１０に導入された毛髪１５Ａのみカットされる。このとき、各櫛部１３間には毛髪１５が数本に掻き分けられてそれぞれ入り込むため、櫛部１３が複数あることでスキ刈りの仕上がりが良好となる。この一方、カット保護部９に接触した毛髪１５Ｂは、カットされることなく櫛部１３の下を抜ける。
【００３３】
このように、本実施の形態では、頭皮１２から刃ブロック５によるカットポイントまでの距離Ｈを一定に保つ櫛部１３（延在部１８）を設けたことで、カット溝部１０に導入された毛髪１５Ａは最低でも前記距離Ｈの長さだけ残り、従来のような一部だけ極端に毛髪１５が短くなる現象を未然に防ぐことが可能となる。
【００３４】
また、本実施の形態では、生え際から頭頂部方向に下から上へと毛髪を掻き上げるようにヘアカッターを動作してスキ刈りを行うため、毛髪表面にラインが出にくく、よりプロの理容師に近い仕上がりを失敗することなく達成することができる。
【００３５】
なお、本実施の形態では、スキ刈り用アタッチメント６を基台７と櫛部材８の構成としたが、従来例のキャップ方式（本体に被せる方式）でも櫛部材を設けることにより同様の効果を得ることが可能である。
【００３６】
「実施の形態２」
図６は実施の形態２のヘアカッターにおける櫛部材の斜視図、図７は実施の形態２のヘアカッターの先端部を示し、（Ａ）はその断面図、（Ｂ）は毛髪をカットしている状態を示す拡大断面図である。
【００３７】
実施の形態２では、実施の形態１の櫛部材８の構成に加えて、毛髪１５を押し付けながら刃ブロック５でカットさせる毛髪保持部材２０を、前記スキ刈り部材１１に設けている。この実施の形態２の櫛部材２１には、実施の形態１の櫛部材８とは多少形状は異なるものの同様の部位が設けられており、前記したカット保護部９とカット溝部１０とからなるスキ刈り部材１１と櫛部１３とが設けられている。
【００３８】
毛髪保持部材２０は、図６及び図７に示すように、刃ブロック５の上方側に設けられると共に、カットポイントの前方に突出して設けられている。かかる毛髪保持部材２０は、頭皮１２とカットポイントをこの頭皮１２に対する垂線で結ぶカットライン２２よりもその先端部が前方に突出するようにされており、各櫛部１３間及び両端の櫛部１３外側にそれぞれ設けられている。
【００３９】
このように、本実施の形態２のヘアカッターによれば、カットポイント前方に毛髪保持部材２０を設け、その先端部をカットライン２２より前方に突出させることで、毛髪１５を頭皮１２から最短距離で（毛髪１５の根本付近から）均一にカットするのではなく、この毛髪保持部材２０で毛髪１５を押し付けて倒しながらカットすることが可能となり、カットポイントに侵入する際の毛髪１５の長さがまばらになり、より自然な仕上りを実現できる。したがって、本実施の形態２のヘアカッターによれば、極端に一部のみ毛髪１５が短くなる不自然な仕上りを防止することができる。
【００４０】
「実施の形態３」
図８は実施の形態３のヘアカッターにおけるスキ刈り用アタッチメントの斜視図、図９は実施の形態３のスキ刈り用アタッチメントの分解斜視図、図１０は実施の形態３のヘアカッターの断面図である。
【００４１】
実施の形態３では、スキ刈りを実現するスキ刈り部材１１を櫛部材８に一体的に設けた実施の形態１とは異なり、櫛部材２３とスキ刈り部材２４を別部材で構成し、そのスキ刈り部材２４を櫛部材２３に対してスライド自在に設け、該スキ刈り部材２４を弾性部材であるコイルバネ２５で押圧して前記刃ブロック５に対して常に密接させた構造としている。
【００４２】
具体的には、図８及び図９に示すように、スキ刈り部材２４には、カット保護部９とカット溝部１０の他にコイルバネ２５による弾性力を受けるバネ受け部２６が設けられている。かかるバネ受け部２６は、スキ刈り部材２４の両端に平面視略Ｌ字形状としてこのスキ刈り部材２４に一体化されている。
【００４３】
櫛部２３には、頭皮１２から刃ブロック５によるカットポイントまでの距離Ｈを一定に保つ櫛部１３と、スキ刈り用アタッチメント６の取り付け位置を固定するための保持位置決め穴１７Ａ、１７Ｂが設けられている。保持位置決め穴１７Ａ、１７Ｂは、カッター本体１に対するスキ刈り用アタッチメント６の装着位置を可変できるように、長手方向に沿った２箇所にそれぞれ設けられている。カッター本体１に対するスキ刈り用アタッチメント６の装着位置を可変することで、頭皮１２からカットポイントまでの距離Ｈをより一層大きくすることができ、スキ刈りによる毛髪１５の長さを段階的に可変させることができる。
【００４４】
基台２７は、実施の形態１の基台７と同じく櫛部１３と同一機能をする延在部１８を有しており、これに加えて前記コイルバネ２５を収容すると共にこのコイルバネ２５による弾性力を受けるコイルバネ保持部２８を有している。コイルバネ保持部２８は、コイルバネ２５を内部に収容させる長方体とされ、前記延在部１８の側面にそれぞれ突設されている。このコイルバネ保持部２８内に収容されたコイルバネ２５は、一端部をコイルバネ保持部２８の内壁に当接させ、他端部をバネ受け部２６に当接させることで、常にスキ刈り部材２４を櫛部１３の先端から離れる方向に付勢して刃ブロック５に密接させるようにする。
【００４５】
このように実施の形態３のヘアカッターでは、図１０に示すように、スキ刈り部材２４は、コイルバネ２５に押圧されて常に櫛部１３と離れる方向に位置することとなり、スキ刈り用アタッチメント６の取り付け位置を可動式にした場合でもスキ刈り部材２４が常に刃ブロック５と密着した状態となるから、スキ刈り部材２４とカッター本体１の間に隙間が生じてその間に毛が詰まりカット不能に陥ることが防止される。
【００４６】
「実施の形態４」
図１１は実施の形態４のヘアカッターの先端部分を示し、（Ａ）はその斜視図、（Ｂ）はその断面図である。
【００４７】
実施の形態４では、実施の形態１から実施の形態３の何れの実施の形態にも適用されるもので、櫛部１３に形成した頭皮１２に接触する接触面１４を略平面としている。前記接触面１４を略平面と定義しているが、本実施の形態では、頭皮１２に沿うような曲率を有した面を含むとする。
【００４８】
なお、基台７に設けた延在部１８の接触面１９も同様、櫛部１３の接触面１４と同じく略平面としている。
【００４９】
このように構成されたヘアカッターでは、櫛部１３の接触面１４を略平面としているので、この面により視覚的に操作方向が認識でき、間違った向きで使用する誤使用を防止することができる。
【００５０】
「実施の形態５」
図１２は実施の形態５の櫛部材の先端部分を示し、カット可能位置の間隔を刃ブロックに対して不均一とした例を示す要部拡大平面図である。
【００５１】
実施の形態５では、実施の形態１のスキ刈り部材１１において、カット溝部１０の配置を刃ブロック５に対し不均一としている。図１２（Ａ）、（Ｂ）では、何れもカット溝部１０に詰め物２９をすることにより、当該カット溝部１０を埋めて一つ置き或いは変則的にカット溝部１０を形成している。なお、カット溝部１０に詰め物２９をすることなく、その部位をカット保護部９で形成してもよい。
【００５２】
このように構成されたヘアカッターでは、カット後の毛髪１５の長さを更に不均一に仕上げることができ、より自然な仕上りを達成することができる。
【００５３】
「実施の形態６」
図１３は実施の形態６のヘアカッターにおける毛髪保持部材をカットポイントに対して動作方向に移動可能とした例を示し、毛髪保持部材を櫛部材から取り外したときの斜視図、図１４は実施の形態６のヘアカッターにおける毛髪保持部材をカットポイントに対して動作方向に移動可能とした例を示し、毛髪保持部材を櫛部材に対してスライドさせたときの斜視図、図１５は実施の形態６のヘアカッターの先端部を示し毛髪保持部材を手前にスライドさせた例を示し、（Ａ）はそのヘアカッターの先端部の断面図、（Ｂ）はその先端部分の要部拡大断面図、図１６は実施の形態６のヘアカッターの先端部を示し毛髪保持部材を前方にスライドさせた例を示し、（Ａ）はそのヘアカッターの先端部の断面図、（Ｂ）はその先端部分の要部拡大断面図である。
【００５４】
先の実施の形態２における毛髪保持部材２０をスキ刈り部材１１と一体化させたが、実施の形態６では、図１３及び図１４に示すように、毛髪保持部材３０をスキ刈り部材３１と別部材として構成し、その毛髪保持部材３０を櫛部１３に対してヘアカッターの動作方向に移動可能とする。
【００５５】
毛髪保持部材３０は、毛髪１５を押し付ける複数個からなる毛髪押付け部３２と、これら毛髪押付け部３２を連結する連結部３３と、を備えている。毛髪押付け部３２は、複数個に分かれており、各毛髪押付け部３２間の隙間３５にそれぞれの櫛部１３が入り込むようになっている。この隙間３５に櫛部１３が入り込むことによって、毛髪保持部材３０が櫛部材８に対してスライドする。両端の隙間３５を挟んで対向する一方の毛髪保持部材３２には、前記毛髪保持部材３０のスライド位置を可変させる位置決め溝３６Ａ、３６Ｂが２つ設けられている。この位置決め溝３６Ａ、３６Ｂには、両端の櫛部１３に設けられた位置決め突起３４が嵌合するようになっている。
【００５６】
毛髪保持部材３０を刃ブロック５に近接させるには、図１４（Ａ）及び図１５に示すように、前方の位置決め溝３６Ａに位置決め突起３４を嵌合させる。一方、毛髪保持部材３０を刃ブロック５から遠ざけるには、図１４（Ｂ）及び図１６に示すように、後方の位置決め溝３６Ｂに位置決め突起３４を嵌合させる。
【００５７】
そして、前記スキ刈り部材３１には、カット保護部９とカット溝部１０の他に、前記毛髪保持部材３０のスライドをガイドするガイド爪部３７が設けられている。かかるガイド爪部３７は、両端の毛髪押付け部３２の側縁部に係合し、前記毛髪保持部材３０の櫛部１３に対するスライドをガイドする。毛髪保持部材３０をスライドさせるには、連結部３３に指を掛けてスライドさせる。
【００５８】
このように構成されたヘアカッターでは、毛髪保持部材３０をカットポイントに対して接近する方向と離れる方向にスライド移動させるようにしているので、毛髪１５の倒し量を調整することができ、カットする毛量と長さを場所ごとに変化させることが可能となる。
【００５９】
「実施の形態７」
図１７は実施の形態７のヘアカッターの先端部分を示す要部拡大斜視図である。
【００６０】
実施の形態７では、先の実施の形態２における毛髪保持部材２０の毛髪１５との接触面を直線ではなく非直線形状としている。
【００６１】
具体的には、毛髪保持部材２０の毛髪１５と接触する先端面２０Ａ〜２０Ｇの位置を、図１７に示すように、同一線上に配置するのではなく前後でそれらの位置がずれるように非直線形状とする。
【００６２】
このように構成されたヘアカッターでは、毛髪保持部材２０の毛髪１５との接触面を非直線形状としたので、カットする毛髪１５の毛量と長さを場所ごとに変化させることができる。その結果、カットが不均一になり、自然な仕上りに調節することが可能となる。
【００６３】
「実施の形態８」
図１８は実施の形態８のヘアカッターにおけるスキ刈り用アタッチメントの平面図である。
【００６４】
実施の形態８では、実施の形態１の櫛部１３を無くした例で、この櫛部１３の代わりとして基台７に設けた延在部１８を、頭皮１２からカットポイントまでの距離を一定に保つ櫛部１３の代わりとしている。つまり、スキ刈りの仕上げを良くするには、櫛部１３があった方が良いが、頭皮１２からの距離Ｈが保たれれば、本願発明の効果が達成できるので必ずしも櫛部１３は必要ではない。
【図面の簡単な説明】
【００６５】
【図１】実施の形態１のヘアカッターを示し、（Ａ）は一方向から見たカッター本体の斜視図、（Ｂ）は他方向から見たカッター本体の斜視図である。
【図２】実施の形態１のヘアカッターにおけるスキ刈り用アタッチメントを示し、（Ａ）はそのスキ刈り用アタッチメントの斜視図、（Ｂ）はスキ刈り用アタッチメントの平面図である。
【図３】実施の形態１のヘアカッターにおけるスキ刈り用アタッチメントを示し、（Ａ）は櫛部材の平面図、（Ｂ）は基台の平面図である。
【図４】実施の形態１のヘアカッターの先端部分を示す斜視図である。
【図５】実施の形態１のヘアカッターの先端部を示し、（Ａ）は毛髪をカットしている状態を示す図、（Ｂ）は先端部分の要部拡大断面図である。
【図６】実施の形態２のヘアカッターにおける櫛部材の斜視図である。
【図７】実施の形態２のヘアカッターの先端部を示し、（Ａ）はその断面図、（Ｂ）は毛髪をカットしている状態を示す拡大断面図である。
【図８】実施の形態３のヘアカッターにおけるスキ刈り用アタッチメントの斜視図である。
【図９】実施の形態３のスキ刈り用アタッチメントの分解斜視図である。
【図１０】実施の形態３のヘアカッターの断面図である。
【図１１】実施の形態４のヘアカッターの先端部分を示し、（Ａ）はその斜視図、（Ｂ）はその断面図である。
【図１２】実施の形態５の櫛部材の先端部分を示し、カット可能位置の間隔を刃ブロックに対して不均一とした例を示す要部拡大平面図である。
【図１３】実施の形態６のヘアカッターにおける毛髪保持部材をカットポイントに対して動作方向に移動可能とした例を示し、毛髪保持部材を櫛部材から取り外したときの斜視図である。
【図１４】実施の形態６のヘアカッターにおける毛髪保持部材をカットポイントに対して動作方向に移動可能とした例を示し、毛髪保持部材を櫛部材に対してスライドさせたときの斜視図である。
【図１５】実施の形態６のヘアカッターの先端部を示し毛髪保持部材を手前にスライドさせた例を示し、（Ａ）はそのヘアカッターの先端部の断面図、（Ｂ）はその先端部分の要部拡大断面図である。
【図１６】実施の形態６のヘアカッターの先端部を示し毛髪保持部材を前方にスライドさせた例を示し、（Ａ）はそのヘアカッターの先端部の断面図、（Ｂ）はその先端部分の要部拡大断面図である。
【図１７】実施の形態７のヘアカッターの先端部分を示す要部拡大斜視図である。
【図１８】実施の形態８のヘアカッターにおけるスキ刈り用アタッチメントの平面図である。
【図１９】従来のヘアカッターの一例を示し、（Ａ）はスキ刈りを可能とするスキ刈り用アタッチメントをカッター本体に装着したヘアカッターの斜視図、（Ｂ）は毛髪をカットしている状態を示す図である。
【図２０】従来のヘアカッターの一例を示し、（Ａ）はスキ刈り用アタッチメントの正面図、（Ｂ）はヘアカッターの先端部分を示す要部拡大斜視図である。
【符号の説明】
【００６６】
１…カッター本体（本体）
２…スイッチハンドル
３…固定刃
４…可動刃
５…刃ブロック
６…スキ刈り用アタッチメント
７…基台（保護部材）
８、２１、２３…櫛部材（保護部材）
９…カット保護部
１０…カット溝部
１１、２４、３１…スキ刈り部材
１２…頭皮（地肌）
１３…櫛部
１４、１９…接触面
１５…毛髪
１６…アタッチメントロックボタン
１７…保持位置決め穴
１８…延在部（櫛部１３に相当）
２０、３０…毛髪保持部材
２２…カットライン
２５…コイルバネ（弾性部材）
【図１】
2008048779.tif 000003
【図２】
2008048779.tif 000004
【図３】
2008048779.tif 000005
【図４】
2008048779.tif 000006
【図５】
2008048779.tif 000007
【図６】
2008048779.tif 000008
【図７】
2008048779.tif 000009
【図８】
2008048779.tif 000010
【図９】
2008048779.tif 000011
【図１０】
2008048779.tif 000012
【図１１】
2008048779.tif 000013
【図１２】
2008048779.tif 000014
【図１３】
2008048779.tif 000015
【図１４】
2008048779.tif 000016
【図１５】
2008048779.tif 000017
【図１６】
2008048779.tif 000018
【図１７】
2008048779.tif 000019
【図１８】
2008048779.tif 000020
【図１９】
2008048779.tif 000021
【図２０】
2008048779.tif 000022